(57)【要約】情報の書込／読出用のディスクに、集積回路（ＩＣ）が取り付けられている。ディスクは、たとえばＣＤプレーヤーといった装置内で使用され得るものである。ＩＣは、光センサ（ＳＮＳ）と、さらに別の光センサ（ＳＮＳＦ）と、（オプションである）検出手段（ＤＴ）と、マイクロプロセッサ（ｕＰ）と、ＥＥＰＲＯＭのような不揮発性メモリ手段（ＭＭ）と、ＲＦ発振器（ＲＦＯＳＣ）と、電圧変換手段（ＣＮＶ）と、スタンバイ回路（ＳＢ）とを含んでいる。第１の光センサ（ＳＮＳ）は、複数のフォトダイオードを含んでおり、マイクロプロセッサ（ｕＰ）およびＥＥＰＲＯＭに、それぞれ供給電圧ＶｕＰおよびＶＭＭを供給するという目的を有している。さらに別の光センサ（ＳＮＳＦ）は、好ましくは１つのみのフォトダイオードを有し（速度の問題のため）、マイクロプロセッサ（ｕＰ）にアクセス情報（ＩＡ）を送るという目的を有している。電圧変換手段（ＣＮＶ）は、たとえば直列接続されたチャージポンプを含んでいる。従来型のチャージポンプは、比較的短い時間内のみに入力電圧（Ｕｉ）が周期的に存在する場合には、適切に機能しない。そこで、簡潔に述べると以下のような本発明に係る施策が、電圧変換手段（ＣＮＶ）に適用される。入力電圧（Ｕｉ）が存在している間は、チャージポンプは通常どおりに機能するが、入力電圧（Ｕｉ）がないときは、チャージポンプ内のスイッチがホールド状態に保持される。供給電圧（ＶＭＭ）は、チャージポンプのコンデンサ内に十分なエネルギーが蓄積されているときにのみ、電圧変換手段（ＣＮＶ）により送られる。入力電圧（Ｕｉ）がないときには、マイクロプロセッサ（ｕＰ）のクロック信号も保持され、スタンバイ回路（ＳＢ）のスイッチ（ＳＢＦ）は非通電状態に置かれる。したがって、入力電圧（Ｕｉ）がないときも、供給電圧ＶｕＰは存在し続ける（バッファ・コンデンサ（ＣＢＦ）の存在のため）。このＩＣは、たとえば、アクセス情報（ＡＩ）がマイクロプロセッサ（ｕＰ）に処理されてメモリ手段（ＭＭ）に記憶される、ＣＤプレーヤー内の著作権保護システムとして使用されてもよい。いわゆる「キー」が、メモリ手段（ＭＭ）に記憶されてもよい。ＲＦ発振器は、このキーおよびアクセス情報（ＡＩ）と共に、ＲＦ信号をＣＤプレーヤーに返送し得る。それにより、ＣＤプレーヤーは、たとえばＣＤのコピーを作成してもよいか否かを決定する。
2005532773.tif 000002
【特許請求の範囲】
【請求項１】
少なくとも第１のエネルギー蓄積手段および第２のエネルギー蓄積手段と、該エネルギー蓄積手段にエネルギーを蓄積し、蓄積された該エネルギーの少なくとも一部を該エネルギー蓄積手段の間でやりとりするため、クロック信号の制御の下、該エネルギー蓄積手段を周期的に相互接続する切換手段とを備えた、入力電圧を出力電圧に変換する変換手段を含む電子回路であって、
動作中のホールド時間中に亘って、前記クロック信号がホールド状態に保持され、該ホールド状態とは、該ホールド状態となる直前の該クロック信号の状態に等しい状態であることを特徴とする電子回路。
【請求項２】
前記切換手段および前記エネルギー蓄積手段が、少なくとも１つのチャージポンプを用いて実装されていることを特徴とする請求項１記載の電子回路。
【請求項３】
請求項１または２記載の電子回路を含む集積回路を備えた、ユーザー情報の記憶／読出しのための媒体。
【請求項４】
前記集積回路が、実質的な光量の光を受光した際に前記入力電圧を供給する感光センサを含んでいることを特徴とする請求項３記載の媒体。
【請求項５】
前記集積回路が、前記出力電圧を利用することによって供給電圧の供給を受けるメモリ手段をさらに含んでいることを特徴とする請求項４記載の媒体。
【請求項６】
前記集積回路が、マイクロプロセッサと、該マイクロプロセッサに追加的情報を供給するさらに別の感光センサとをさらに含んでおり、該マイクロプロセッサが、該追加的情報を処理するものであり、処理された該追加的情報を記憶するために、該マイクロプロセッサが前記メモリ手段に接続されていることを特徴とする請求項５記載の媒体。
【請求項７】
前記集積回路が、マイクロプロセッサと、追加的情報の記憶のために前記メモリ手段に該追加的情報を供給するさらに別の感光センサとをさらに含んでおり、該メモリ手段から該追加的情報を読み出した後に該追加的情報を処理するために、前記マイクロプロセッサが前記メモリ手段に接続されていることを特徴とする請求項５記載の媒体。
【請求項８】
前記ホールド時間の長さが、前記感光センサが実質的な光量の光を受光しない時間の長さに、近似的に対応することを特徴とする請求項６または７記載の媒体。
【請求項９】
前記ホールド時間中に亘って、前記マイクロプロセッサがアイドリング状態となり、該ホールド時間中に亘って、該マイクロプロセッサが、スタンバイ回路から供給電圧の供給を受けることを特徴とする請求項８記載の媒体。
【請求項１０】
当該媒体が、前記ユーザー情報の記憶および読出用の面を有する光ディスクであり、該光ディスクの該面の、前記ユーザー情報の記憶および読出用に確保されていない領域内に、前記集積回路が固定されていることを特徴とする請求項３から９いずれか１項記載の媒体。
【請求項１１】
当該媒体が、前記ユーザー情報の記憶および読出用の第１の面を有する光ディスクであり、前記集積回路が、該光ディスクの第２の面に固定されていることを特徴とする請求項３から９いずれか１項記載の媒体。
【請求項１２】
請求項３から１１いずれか１項記載の媒体への／からの情報の記憶／読出しのための記録／再生装置。
【発明の詳細な説明】
【技術分野】
【０００１】
本発明は、少なくとも第１のエネルギー蓄積手段および第２のエネルギー蓄積手段と、それらのエネルギー蓄積手段にエネルギーを蓄積し、その蓄積されたエネルギーの少なくとも一部をそれらのエネルギー蓄積手段の間でやりとりするため、クロック信号の制御の下、それらのエネルギー蓄積手段を周期的に相互接続する切換手段とを備えた、入力電圧を出力電圧に変換する変換手段を含む電子回路に関するものである。
【背景技術】
【０００２】
そのような電子回路は、当該技術分野において一般的に知られている。エネルギー蓄積手段は、コイルによって構成されてもよく、その場合、コイル内の磁束によってエネルギーの蓄積が生じる。また、エネルギー蓄積手段は、コンデンサによって構成されてもよく、その場合、コンデンサ内の電荷によってエネルギーの蓄積が生じる。出力電圧の値は、入力電圧の値よりも高い場合もあれば、低い場合もある。電圧ステップアップの場合には、特に好まれる１つの方法は、いわゆるチャージポンプを利用する方法である。そのようなチャージポンプは、特に米国特許第６，０５２，２９５号により知られている。この特許は、チャージポンプの直列接続により組み立てられた電圧変換器を開示している。各チャージポンプは、エネルギーを蓄積するためのコンデンサと、スイッチと、バッファとを含んでいる。各チャージポンプ内のスイッチとバッファとはいずれも、クロック発生器から発生したクロック信号により制御されている。クロック信号は、時間的に連続的かつ周期的な２値信号であって、クロック信号の各位相は、互いに寸法合わせされている。寸法合わせ（ｄｉｍｅｎｓｉｏｎｉｎｇ）の手法は、チャージポンプ設計の分野における当業者には一般に知られており、上記に引用した特許の図３にも示されている。スイッチは、通常、トランジスタまたはダイオードで構成される。
【発明の開示】
【発明が解決しようとする課題】
【０００３】
既知の電子回路の１つの欠点は、比較的短い時間内のみに入力電圧が（周期的に）存在する場合、不適切に機能するまたは全く機能しない点である。
【０００４】
したがって、本発明の１つの目的は、入力電圧を出力電圧に変換する変換手段を有する電子回路であって、上記の欠点が除去または軽減された電子回路を提供することである。
【課題を解決するための手段】
【０００５】
本発明によれば、上記の目的のため、冒頭の段落で述べたような電子回路において、動作中のホールド時間中に亘って、クロック信号がホールド状態に保持されることを特徴とする。このホールド状態とは、ホールド状態となる直前のクロック信号の状態に等しい状態である。
【０００６】
本発明は、たとえばチャージポンプの直列接続により組み立てられた電圧変換器は、比較的一定した入力電圧、すなわち過度に変化しない入力電圧が存在する場合にのみ、正しく機能することができるという認識に基づいている。各回につき比較的短い時間内のみに入力電圧が存在する場合、実際上、ほとんどの時間中において入力電圧が存在していないこととなる。その場合、チャージポンプによるコンデンサ内へのエネルギーの蓄積が停止するのみならず、コンデンサ内に蓄積されたエネルギーが減少すらする。この原因は、１つには、変換器の出力部（すなわち、最後のチャージポンプの出力部）におけるパワーの落込みであり、もう１つには、入力電圧源が入力電圧を供給しない上記の比較的長い時間中に、コンデンサ内に蓄積されたエネルギーの一部がこの入力電圧源に流れて戻ってしまうことである。さらには、蓄積されたエネルギーは、エネルギー損失によっても減少し、特に連続的かつ周期的にオン・オフ切換えされるスイッチにおけるエネルギー損失によって減少する。本発明に係る電子回路では、上記のホールド時間に対応する入力電圧が存在しない時間中に亘って、スイッチの状態が（開状態または閉状態に）凍結され、バッファの入力部における電圧レベルが凍結されることによって、上記のエネルギー損失が大幅に防止される。
【０００７】
本発明に係る電子回路は、特に情報の記憶および再生のための媒体に実装された集積回路内において、非常に有利に用いられ得る。
【０００８】
したがって、本発明は、情報の記憶および読出しのための媒体にも関するものである。
【０００９】
本発明はさらに、かかる媒体への情報の記憶およびかかる媒体からの情報の読出しのための、記録再生装置にも関するものである。
【００１０】
情報の記憶および読出しのための媒体の第１の実施形態は、当該媒体が、本発明に係る電子回路を組み込んだ集積回路を備えていることを特徴とする。
【００１１】
そのような媒体は、たとえば、オーディオＣＤその他の違法再生または違法コピーに対抗するために、音楽その他のユーザー情報が暗号化（「スクランブル処理」）される場合において、そのユーザー情報を記録および再生するための記録再生装置内において使用され得る。これにより、たとえば、再生装置から集積回路へと追加的情報を結合することができる。その後、集積回路はその装置に情報を戻すこともでき、その情報を集積回路内に記憶されたキーと共に用いることにより、暗号化された情報の解読（「スクランブル解除処理」）が可能となる。以下、集積回路をＩＣと表記する。装置からＩＣへの情報の送信と、ＩＣから装置への情報の返送とのいずれも、無線周波数信号（以下、ＲＦ信号と表記する）を用いて行われてもよいし、光信号を用いて行われてもよい。情報伝送のための光信号は比較的多くのパワーを必要とするので、ＩＣから装置への情報の送信は、好ましくはＲＦ信号を用いて行われる。
【００１２】
媒体の第２の実施形態は、集積回路が、実質的な光量の光を受光した際に上記の入力電圧を供給する感光センサを含んでいることを特徴とする。これにより、情報を光学的にＩＣに送ることが可能となる。感光センサはＩＣ内に簡単に組み込むことができるので、この形態は有利である。加えて、たとえば１つまたは複数のフォトダイオードを用いて感光センサを構成すること等により、感光センサは、原理上、ＩＣ内の電子回路に供給電圧を供給するために用いられ得る。レーザースポットは、ＣＤプレーヤー内に常に存在し、通常はユーザー情報の読出しおよび／または書込みのみに向けられたものであるが、原理上は、追加的情報をＩＣに送るための光源としても用いることができる。しかしながら、たとえば発光ダイオードすなわちＬＥＤを用いて構成された光源のような、別個の光源を用いてもよい。原理上、光が感光センサ上に静止状態で精確に合焦するように、光源を一時的に位置付ける（すなわち、ＣＤプレーヤーの場合にはディスクである媒体が、この時間中は回転しないようにする）ことも可能である。この時間中は、ある程度一定した入力電圧が発生させられる。その入力電圧は、必要とされる増大させられた出力電圧を電子回路に供給するための十分なエネルギーを、変換手段のチャージポンプ内のコンデンサが蓄積することができる程度に、十分長い時間持続し得る。しかしながら、技術的には、一時的な停止をさせず、ディスクを回転させ続ける方が簡単である。実際、回転は、ユーザー情報の書込みおよび読出しに必要な、ＣＤプレーヤーにおける標準的な動作である。この場合、感光センサは、周期的に、比較的短い時間内のみ照らされる。そのため、入力電圧も、比較的短い時間内においてのみ存在する。その結果、変換手段のチャージポンプ内のコンデンサが、必要とされる増大させられた出力電圧を電子回路に供給するのに十分な量のエネルギーを蓄積しなくてはならない場合には、何回かのディスク回転を要する。
【００１３】
媒体の第３の実施形態は、ＩＣが、上記の出力電圧を利用することによって供給電圧の供給を受けるメモリ手段をさらに含んでいることを特徴とする。様々なタイプの不揮発性メモリが使用可能であり、たとえばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）が使用可能である。追加的情報のＥＥＰＲＯＭからの読出しおよびＥＥＰＲＯＭへの書込みは、書込動作または読出動作の少なくとも一方を実行するのに十分な供給電圧を変換手段が蓄積できている時間中になされる。変換手段内に蓄積された利用可能なエネルギーの量が、すべての必要な書込動作または読出動作を途切れなく行うには不十分である場合、すなわち、ＥＥＰＲＯＭへの供給電圧が、必要とされる最低限の値未満に落ち込む傾向がある場合には、書込動作または読出動作は一時的に停止される。その場合、変換手段は、まず、ＣＤを何回か回転させながら十分な出力電圧を蓄積するためのいくらかの時間を与えられる。その後、書込動作または読出動作が再開される。
【００１４】
媒体の第４の実施形態は、ＩＣが、マイクロプロセッサと、そのマイクロプロセッサに追加的情報を供給するさらに別の感光センサとをさらに含んでおり、マイクロプロセッサが、その追加的情報を処理するものであり、処理された追加的情報を記憶するために、そのマイクロプロセッサが上記のメモリ手段に接続されていることを特徴とする。この追加的情報は、たとえば、関係ＣＤのコピーを最大３回作成する権利をユーザーに与える、アクセス情報であってもよい。その場合、マイクロプロセッサは、たとえば、メモリ手段内に記憶された数を増分させる。たとえばＲＦ発振器を用いて、メモリ手段から記録／再生装置へと情報が返送されると、この装置は、この情報に基づいて、コピーが作成されてもよいか否かを決定することができる。
【００１５】
原理上、追加的情報は、上記のさらに別の感光センサを追加しなくても受信することができる。その場合、最初に述べた感光センサにより供給される入力電圧が、２つの機能を有することとなる。すなわち、電圧変換器の入力部に電圧を供給する機能と、マイクロプロセッサにデータを供給する機能とである。前者の機能を最適に果たすためには、感光センサが、直列接続されたいくつかのフォトダイオードから組み立てられていることが望ましい。これは、そうすることにより、より高い入力電圧が得られるためである。このことの副次的作用は、感光センサの寄生容量が増大してしまうことである。電圧変換器の入力部への電圧供給に関連しては、このことはほとんど全く重要でない。しかしながら、これにより、可能なデータ処理の最大速度が（潜在的に）減少するので、このことは、マイクロプロセッサへのデータ（追加的情報）の供給に関連しては重要である。上記のさらに別の感光センサの使用が有利であるのは、この理由からである。そうすることにより、寄生容量が低いままに保たれるよう、たとえば１つのみのフォトダイオードを用いて、上記のさらに別の感光センサを構成することを選択するのも可能となる。
【００１６】
媒体の第５の実施形態は、上記の第４の実施形態の変更実施形態であって、ＩＣが、マイクロプロセッサと、追加的情報の記憶のために上記のメモリ手段にその追加的情報を供給するさらに別の感光センサとをさらに含んでおり、メモリ手段から追加的情報を読み出した後にその追加的情報を処理するために、マイクロプロセッサがメモリ手段に接続されていることを特徴とする。このようにして、情報の全体量が、即座にメモリ手段に記憶される。どの情報が余計であって、どの情報（マイクロプロセッサにより処理された情報であるかもしれない）が記録再生装置に返送されるべきであるかを、マイクロプロセッサが決定する作業は、もっと後の段階においてのみ、すなわちメモリ手段の書出しがなされるときにおいてのみ行われる。
【００１７】
第５の実施形態に対する第４の実施形態の１つの利点は、より少ないデータがＥＥＰＲＯＭ内に記憶されることとなる点である。
【００１８】
一方、第５の実施形態は、第４の実施形態に対し、可能性のある利点として、メモリ手段へのデータの伝送がより速く行われ得るという利点を有する。この利点が実際にもたらされるか否かは、追加的情報の内容に依存する。実際のところ、メモリ手段へのデータ伝送前にマイクロプロセッサが使用されないという事実は、潜在的により多くのデータが記憶されなくてはならないであろうことを示唆している。それにより、メモリ手段へデータを伝送する速度は、低減してしまう。
【００１９】
媒体の第６の実施形態は、ホールド時間の長さが、感光センサが実質的な光量の光を受光しない時間の長さに、近似的に対応することを特徴とする。このことは、感光センサが光を全くまたはほとんど受光しない時間中、したがって変換手段の入力部に入力電圧を全くまたはほとんど供給できない時間中に亘って、蓄積されたエネルギーの多くがエネルギー蓄積手段内に保持された状態に、変換手段が置かれるという効果を有する。
【００２０】
媒体の第７の実施形態は、ホールド時間中に亘って、マイクロプロセッサがアイドリング状態となり、ホールド時間中に亘って、マイクロプロセッサが、スタンバイ回路から供給電圧の供給を受けることを特徴とする。マイクロプロセッサは、ＥＥＰＲＯＭよりも低い供給電圧で動作することができる。そのため、マイクロプロセッサは、感光センサにより送られる入力電圧から供給を受けてもよい。このことは、エネルギーを節約する。実際、マイクロプロセッサが、変換手段により送られる出力電圧から供給を受ける場合には、変換手段内において追加のエネルギー損失が存在するであろう。しかしながら、マイクロプロセッサを感光センサに直接接続するのではなく、スタンバイ回路を介して接続することの方が、一層好ましい。スタンバイ回路は、最も単純な形態では、スイッチおよびバッファ・コンデンサからなる。入力電圧が存在するとき、スイッチは閉状態（通電状態）となり、バッファ・コンデンサは、充電状態にあるか、さもなくば充電状態とされる。ホールド時間中は、マイクロプロセッサのクロックは停止され、したがって非アクティブ状態となる。スタンバイ回路が存在しないケースのように、マイクロプロセッサへの供給電圧が停止されるべき場合には、未完了の何らかの動作が、後で再度実行されなくてはならない。ホールド時間中においてマイクロプロセッサがバッファ・コンデンサから供給を受けるようにすることにより、この事態が防止される。バッファ・コンデンサの容量値は、あまり高い値である必要はない。ホールド時間中はマイクロプロセッサが非アクティブ状態であるので、マイクロプロセッサの電流消費量は極めて低い。
【００２１】
媒体の第８の実施形態は、媒体が、ユーザー情報の記憶および読出用の面を有する光ディスクであり、その面の、ユーザー情報の記憶および読出用に確保されていない領域内に、ＩＣが固定されていることを特徴とする。かかる領域は、ディスクの中心近くにある。ＩＣ内の感光センサは、原理上、ユーザー情報の書込みおよび読出しに使用されるレーザースポットと同一のレーザースポットによって照らされてもよい。しかしながら、装置内の、レーザースポットの所望の位置への移動を可能とするキャリッジは、そのキャリッジのタイプによっては、そのようなディスクの中心近くにレーザースポットを位置決めする能力を常に有するとは限らない。そのため、このレーザースポットに代えて、別個の光源を用いて感光センサを照らしてもよい。この別個の光源は、たとえば、第２のレーザースポットであってもよいし、あるいはＬＥＤとして実装されてもよい。
【００２２】
媒体の第９の実施形態は、媒体が、ユーザー情報の記憶および読出用の第１の面を有する光ディスクであり、ＩＣが、その光ディスクの第２の面に固定されていることを特徴とする。このことは、ＩＣの位置が、ディスク中心のごく周辺に制約されないという利点を有する。
【発明を実施するための最良の形態】
【００２３】
以下、図面を参照して、本発明をより詳細に説明する。これらの図中において、同一の要素には、同一の参照番号が付されている。
【００２４】
図１は、既知の電圧変換器ＣＮＶの回路図である。電圧変換器ＣＮＶは、この例では４つであるチャージポンプＣＨＧＰＭＰ１からＣＨＧＰＭＰ４の直列接続により組み立てられている。第１のチャージポンプＣＨＧＰＭＰ１は、第１のスイッチ・クロック信号ｓ１により制御される第１のスイッチＳＷ１と、第１のチャージポンプ・コンデンサＣ１と、第１のバッファ・クロック信号ｄ１により制御される入力を有する第１のバッファＢＦ１とを含んでいる。第１のバッファＢＦ１の出力部は、第１のチャージポンプ・コンデンサＣ１の第１端子に接続されている。第１のチャージポンプ・コンデンサＣ１の第２端子は、第１のスイッチＳＷ１を介して、電圧変換器ＣＮＶの入力部ＩＰに接続されている。入力電圧Ｕｉは、入力部ＩＰと接地基準端子ＧＮＤとの間に与えられ、電圧源ＶＳによって送出される。第１のチャージポンプ・コンデンサＣ１と第１のスイッチＳＷ１との共通接続点ｎ１は、第１のチャージポンプＣＨＧＰＭＰ１の出力部を形成する。第２、第３および第４のチャージポンプＣＨＧＰＭＰ２からＣＨＧＰＭＰ４も、第１のチャージポンプＣＨＧＰＭＰ１と同様に組み立てられている。第４のチャージポンプＣＨＧＰＭＰ４の出力は、電圧変換器ＣＮＶの出力端子ＯＰと、接地端子ＧＮＤとの間に、出力電圧Ｕｏを与える。
【００２５】
この電圧変換器ＣＮＶは、図２に示すようなクロック信号ｓ１からｓ４およびｄ１からｄ４によって、既知の手法で制御される。これらのクロック信号の高電圧値を「Ｈ」と表記し、低電圧値を「Ｌ」と表記することとする。この電圧変換器ＣＮＶは、入力電圧Ｕｉが（実質的に）連続的なものとして存在する場合にのみ、正しく動作する（やはり図２参照）。その場合、この電圧変換器ＣＮＶは、この例では入力電圧Ｕｉよりも最大８倍高い電圧である、出力電圧Ｕｏを供給することができる。これは、各チャージポンプが、倍電圧器として作用するためである。チャージポンプの動作は、一般に知られており、簡潔には以下のように要約することができる。第１のクロック位相では、スイッチＳＷ１が閉状態（通電状態）となるように、ｄ１が論理的に低（「Ｌ」）とされ、ｓ１が論理的に高（「Ｈ」）とされる。その結果、コンデンサＣ１は入力電圧値Ｕｉまで充電される。第２のクロック位相では、ｓ１が論理的に低となり、それによりスイッチＳＷ１が開状態となる。その後ただちに（ほぼ同時に）、コンデンサＣ１の第１の接続端子の電位が入力電圧値Ｕｉと等しくなるように、ｄ１が論理的に高となる。（ここでは、バッファＢＦ１の供給電圧は、Ｕｉの値と等しいものと想定する。）コンデンサＣ１は、電圧値Ｕｉの電圧を一時的に保持しているので、接続点ｎ１の電位は、その時の入力電圧値Ｕｉの２倍に等しくなる。
【００２６】
前述のとおり、電圧変換器ＣＮＶの上記の動作は、入力電圧Ｕｉが、図３に示す入力電圧Ｕｉの場合のように比較的短い時間内に周期的にのみ存在するのではなく、（実質的に）連続的なものとして存在する場合にのみ有効である。図３では、時点ｔ１とｔ２との間の比較的短い時間内にのみ、入力電圧Ｕｉが存在する。時点ｔ２とｔ３との間のホールド時間ＲＴ中は、入力電圧Ｕｉは存在しない。その後、入力電圧Ｕｉは、時点ｔ３とｔ４との間には再び存在し、その後のホールド時間ＲＴ中は再び存在せず、以下同様である。本発明に係る電圧変換器は、既知の電圧変換器を利用して得られるものであるが、本発明に係る変更されたクロック信号によって制御される。本発明の電圧変換器の動作は、以下のとおりである。時点ｔ１とｔ２との間は、入力電圧Ｕｉが存在し、クロック信号（ｓ１からｓ４およびｄ１からｄ４）は、図２に示したクロック信号に対応するものとなる。しかしながら、時点ｔ２から、入力電圧Ｕｉが存在しなくなる。各クロック信号の状態「Ｈ」または「Ｌ］は、時点ｔ２の直前にそのクロック信号が保持していた状態に凍結される（図３参照）。これらの凍結された状態は、時点ｔ３において再び入力電圧Ｕｉが存在するようになるまで、そのままの状態とされる。その時点ｔ３からは、クロック信号は、図２に示したものに対応する進み方で継続する。時点ｔ４からは、各クロック信号の状態は、その時点ｔ４の直前にそのクロック信号が保持していた状態に再び凍結される。以下同様である。既知の電圧変換器とは対照的に、このことは、コンデンサＣ１からＣ４に蓄積されたエネルギーが、ホールド時間ＲＴ中に亘って、極めて無傷のそのままの状態に保持されるようになるという効果を有する。
【００２７】
図４は、本発明に係る記録／再生装置Ａの第１の実施形態の一部を、情報の記憶および再生のためのディスクＤＳＫと共に示した図である。装置Ａは、たとえばＣＤプレーヤーである。ディスクＤＳＫは、ここではモーターＭによって駆動されている。レーザースポットを投射、すなわちディスクＤＳＫの情報層上にレーザースポットＬＳ１を投射するレーザーの使用により、たとえば音楽等のユーザー情報が、既知の手法で、ディスクＤＳＫから読出しまたはディスクＤＳＫに書込みされる。ユーザー情報は、ディスクＤＳＫの半径全体に亘って存在するのではなく、半径領域ｒＡに制限されている。ディスクＤＳＫには、ＩＣも付与されている。このＩＣは、上記の半径領域ｒＡの外の領域にのみ配され得る。このＩＣには、第２の光スポットＬＳ２によって照らされる光ダイオードが、特に付与されている。原理上は、レーザースポットＬＳ１を、第２のレーザースポットＬＳ２として用いてもよい。しかしながら、第２のレーザースポットＬＳ２のための別途の光源を使用する方が、より実用的かもしれない（たとえば、ディスクＤＳＫの中心付近の十分遠い位置に、簡単な手法でレーザースポットＬＳ１を位置決めすることができない場合等）。ＩＣが標準的な位置に配されている場合には、コストを抑制できるように、別途の光源の位置を固定してもよい。この別途の光源は、たとえば、レーザーよりもずっと低価格であるＬＥＤで構成されてもよい。ＩＣは、「キー」その他の項目が記憶されていてもよいメモリ手段ＭＭを、特に含んでいる（図６参照）。アクセス情報等の追加的情報は、ＬＥＤを用いてＩＣに送られる。その追加的情報およびキーに基づいて、たとえばユーザーがＣＤを再生またはコピーすることを許可されているか否か等の事項を、ＩＣ内で特定することができる。この目的のため、ＲＦ信号が、ＩＣからＣＤプレーヤーへと返送される。
【００２８】
図５は、本発明に係る記録／再生装置Ａの第２の実施形態の一部を、情報の記憶および再生のためのディスクＤＳＫと共に示した図である。図４に示した第１の実施形態との違いは、ここではＩＣがディスクＤＳＫの反対側の面に収容されている点である。明らかなことであるが、この場合、ＬＥＤは、この反対側の面においてＩＣを照らす。この結果として、ＬＥＤの位置は、半径領域ｒＡ内に入るように選択されてもよい。
【００２９】
図６は、本発明に係るディスク等の媒体中に実装されたＩＣ内における、本発明に係る電子回路の１つの実施形態を示した図である。このＩＣは、マイクロプロセッサｕＰと、メモリ手段ＭＭと、電圧変換器ＣＮＶと、ＲＦ発振器（送信器）ＲＦＯＳＣと、検出手段ＤＴと、スタンバイ回路ＳＢと、感光センサＳＮＳと、さらに別の感光センサＳＮＳＦとを含んでいる。
【００３０】
以下、図３から５も用いて、図６の電子回路の動作を説明する。たとえば第２の光スポットＬＳ２から発せられた光は、感光センサＳＮＳおよびＳＮＳＦに入射する。この入射は、ディスクＤＳＫの各回転につき１回生じる。感光センサＳＮＳは、フォトダイオードの直列配置を含んでおり、図６および図３に示すような電圧波形を有する入力信号Ｕｉを供給する。入力信号Ｕｉは、電圧変換器ＣＮＶの入力端子ＩＰへと送られる。電圧変換器ＣＮＶは、図１に示したようなタイプのものであってもよいが、図３に示すような必要なクロック信号を供給する、クロック手段ＣＬＫＭＮＳが追加されている。このクロック手段は、必要なクロック信号ｓ１からｓ４およびｄ１からｄ４を電圧変換器ＣＮＶに供給し（図中では、矢印ＡＲ１で示されている）、マイクロプロセッサｕＰのクロック入力部ＣＬＫｕＰにも１つのクロック信号を供給し（図中では、矢印ＡＲ２で示されている）、オプションとして追加されてもよいホールド回路ＨＬＤにも１つのクロック信号を供給する（図中では、矢印ＡＲ３で示されている）。スタンバイ回路ＳＢは、スイッチＳＢＦとバッファ・コンデンサＣＢＦとを含む。センサＳＮＳに光が入射した時点で、スイッチＳＢＦが閉状態（通電状態）となり、マイクロプロセッサｕＰに供給電圧ＶｕＰが供給される。バッファ・コンデンサＣＢＦは、充電状態にあるか、さもなくば充電状態とされる。センサＳＮＳＦにより供給される比較的低い電圧は、アクセス情報ＡＩ等の追加的情報を、マイクロプロセッサｕＰに供給する。マイクロプロセッサｕＰに供給できるようにするため、まず信号波形（とりわけ振幅）を適合化することが必要な場合もある。この目的のため、必要であれば検出手段ＤＴが追加されてもよい。ディスクＤＳＫが何度か回転した後には、電圧変換器ＣＮＶの出力部における電圧Ｕｏは、たとえばＥＥＰＲＯＭとして構成されたメモリ手段ＭＭのための供給電圧ＶＭＭとして働くのに十分な、高い電圧となっている。ホールド手段ＨＬＤは、電圧Ｕｏが必要な供給電圧ＶＭＭを供給するには不十分な電圧である間は、端子ＯＰを電圧変換器ＣＮＶの出力部と非接続の状態にしておく機能のものであるが、上記の十分高い電圧に達すると、電圧変換器ＣＮＶの出力部を出力端子ＯＰに接続する。ＥＥＰＲＯＭが供給電圧ＶＭＭを供給されている限り、マイクロプロセッサｕＰは、ＥＥＰＲＯＭに情報ＩｕＰを書き込み、かつＥＥＰＲＯＭから情報ＩｕＰを書き出すことができる。ホールド時間ＲＴの間（図３参照）は、スイッチＳＢＦは開状態とされ、クロック入力部ＣＬＫｕＰにおけるクロック信号は停止され、クロック信号ｓ１からｓ４およびｄ１からｄ４は凍結され（図３参照）、電圧変換器ＣＮＶの出力端子ＯＰは、供給電圧ＶＭＭがなくなるように再び非接続とされる。マイクロプロセッサｕＰは、ホールド時間ＲＴの開始時点において、情報ＩｕＰの書込みや読出しといった何らかの動作に従事しているかもしれない。供給電圧ＶｕＰは、ホールド時間ＲＴの間もなくならない。実際には、マイクロプロセッサｕＰのクロックは停止しているので、マイクロプロセッサは実質的に電流を消費せず、その結果、供給電圧ＶｕＰはバッファ・コンデンサＣＢＦから供給され得る。その結果、すべての状態がマイクロプロセッサｕＰ内に記憶されたままとなり、マイクロプロセッサｕＰは、ホールド時間ＲＴが経過した時点で、その動作を再開することができる。ＲＦ発振器ＲＦＯＳＣによって発生させられたＲＦ信号によって、メモリ手段ＭＭから（またはマイクロプロセッサｕＰから）装置Ａへと、情報を返送することができる。
【図面の簡単な説明】
【００３１】
【図１】チャージポンプの直列接続により組み立てられた既知の電圧変換器の回路図
【図２】既知の電圧変換器の動作を説明するための、信号図の第１の組を示した図
【図３】本発明に係る電圧変換器の動作を説明するための、信号図の第２の組を示した図
【図４】本発明に係る記録／再生装置の第１の実施形態の一部と、情報の記憶および再生のためのディスクとを示した図
【図５】本発明に係る記録／再生装置の第２の実施形態の一部と、情報の記憶および再生のためのディスクとを示した図
【図６】本発明に係るディスク等の媒体中に実装されたＩＣ内における、本発明に係る電子回路の１つの実施形態を示した図
【図１】
2005532773.tif 000003
【図２】
2005532773.tif 000004
【図３】
2005532773.tif 000005
【図４】
2005532773.tif 000006
【図５】
2005532773.tif 000007
【図６】
2005532773.tif 000008
【国際調査報告】
2005532773.tif 000009
2005532773.tif 000010
2005532773.tif 000011
2005532773.tif 000012